(57)【要約】【課題】フレキシブルＰ板の両側に鍔部を設け、この鍔部とホルダの係止用爪部とで位置規制することから、鍔部を形成するためにフレキシブルＰ板の面積が大きくなり、定尺シートから取れるフレキシブルＰ板３の数量に限度があるという問題点を有していた。【解決手段】フレキシブルＰ板１３に設けた略長方形の孔部１３ａと、ホルダ１５に設けた突起部１５ｂで、コネクタ１９に対するフレキシブルＰ板１３の挿抜時に、ホルダ１５はフレキシブルＰ板１３を確実に位置規制・保持することができる磁気記録再生装置を得ることができる。さらに、定尺シートから取れるフレキシブルＰ板の数量を増加させ、フレキシブルＰ板のコストダウンを図ることができる。【選択図】図１
2005108495.tif 000002
【特許請求の範囲】
【請求項１】
少なくとも電気回路を備えた接続部品と、少なくとも電気回路を備え前記接続部品とフレキシブルケーブルを介して電気的に接続される被接続部品とを電気的に接続する接続装置であって、前記接続部品の電気回路に電気的に接続され前記接続部品から露出して配したフレキシブルケーブルと、前記接続部品に保持され前記フレキシブルケーブルを保持する保持手段と、前記被接続部品に設けられ前記フレキシブルケーブルが接続されるコネクタと、前記保持手段に設けられた突起と、前記フレキシブルケーブルに設けられ少なくとも前記突起が挿入可能な孔部とを有し、前記フレキシブルケーブルを前記保持手段に保持させる際、前記孔部に前記突起を挿入し位置決めを行うことを特徴とする接続装置。
【請求項２】
孔部は、長手方向に導線を延設したフレキシブルケーブルの、短辺方向における、導線が配された範囲に配したことを特徴とする請求項１記載の接続装置。
【請求項３】
孔部は、フレキシブルケーブルの短辺方向略中央に配したことを特徴とする請求項２記載の接続装置。
【請求項４】
突起は、略Ｌ字形状としたことを特徴とする請求項１記載の接続装置。
【請求項５】
突起は、保持手段に植立した胴部と、前記胴部の先端から略垂直方向へ突出した先端部とからなり、前記胴部の先端における前記先端部の突出方向に対向した部位にテーパを設けたことを特徴とする請求項４記載の接続装置。
【請求項６】
孔部の縦方向寸法は、少なくとも突起の胴部の縦方向寸法よりも大きく、前記突起全体の縦方向寸法よりも小さいことを特徴とする請求項１及び５記載の接続装置。
【請求項７】
磁気テープを案内する固定ドラムと、前記固定ドラムに対し同軸的に回転し、少なくとも一対の磁気ヘッドを有する回転ドラムと、磁気テープへの記録信号、または磁気テープからの再生信号を伝達するフレキシブルプリント基板で構成された回転ヘッドユニットと、前記固定ドラムに保持され前記フレキシブルプリント基板を保持するホルダと、前記回転ヘッドユニットを保持するシャーシと、前記シャーシの下部に位置する回路基板と、前記固定ドラムの下部に位置し前記フレキシブルプリント基板が挿入され前記回路基板に半田付けされたコネクタから成り、前記フレキシブルプリント基板に任意形状の孔を設け、前記ホルダに前記フレキシブルプリント基板の任意形状の孔に挿入される突起部を設け、前記フレキシブルプリント基板の任意形状の孔と前記ホルダの突起部とで前記フレキシブルプリント基板の位置規制を行うことを特徴とする磁気記録再生装置。
【請求項８】
磁気テープを案内する固定ドラムと、前記固定ドラムに対し同軸的に回転し、少なくとも一対の磁気ヘッドを有する回転ドラムと、磁気テープへの記録信号、または磁気テープからの再生信号を伝達するフレキシブルプリント基板で構成された回転ヘッドユニットと、前記固定ドラムに保持され前記フレキシブルプリント基板を保持するホルダと、前記回転ヘッドユニットを保持するシャーシと、前記シャーシの下部に位置する回路基板と、前記固定ドラムの下部に位置し前記フレキシブルプリント基板が挿入され前記回路基板に半田付けされたコネクタから成り、前記フレキシブルプリント基板に任意形状の切り欠きを設け、前記ホルダに前記フレキシブルプリント基板の任意形状の切り欠きに挿入される突起部を設け、前記フレキシブルプリント基板の任意形状の切り欠きと前記ホルダの突起部とで前記フレキシブルプリント基板の位置規制を行うことを特徴とする磁気記録再生装置。
【発明の詳細な説明】
【技術分野】
【０００１】
本発明は、少なくとも電気回路を備えた接続部品と、少なくとも電気回路を備え前記接続部品とフレキシブルケーブルを介して電気的に接続される被接続部品とを電気的に接続する接続装置に関するものであり、中でもビデオテープレコーダー等の磁気記録再生装置に用いて有効なものである。
【背景技術】
【０００２】
従来のビデオテープレコーダーに代表される磁気記録再生装置は、回転トランスユニットから引き出された記録・再生信号を伝達するフレキシブルプリント基板（以下、フレキシブルＰ板と記す）を位置規制する鍔部がフレキシブルＰ板の両側に設けられた構成を有している。（例えば特許文献１参照）。
【０００３】
以下に従来の磁気記録再生装置について説明する。
【０００４】
図１０は従来のビデオテープレコーダーに用いられる磁気記録再生装置の後部側面図を、図１１は図１０におけるＹ３−Ｙ４断面図を示すものである。なお、図１０において、構成を明確に示すためにシャーシの一部を切り欠いて描画した。図１０、図１１を説明すると、１は磁気テープ（図示せず）を案内する固定ドラム、２は固定ドラム１に対し同軸的に回転し、少なくとも一対の磁気ヘッド（図示せず）を有する回転ドラム、３は固定ドラム１と回転ドラム２間に設けられ、磁気テープへの記録信号、または磁気テープからの再生信号を伝達する回転トランスユニット（図示せず）から引き出されたフレキシブルＰ板で、両側に鍔部３ａを設けている。４は固定ドラム１、回転ドラム２、フレキシブルＰ板３で構成される回転ヘッドユニット、５はフレキシブルＰ板３を位置決め保持し固定ドラム１の下部に保持されたホルダで、４ヶ所の係止用爪部５ａはフレキシブルＰ板３の保持及びＸ１・Ｘ２方向の位置規制を行い、４ヶ所の係止用爪部５ａと鍔部３ａでＹ１・Ｙ２方向の位置規制を行う。６は回転ヘッドユニット４を保持するシャーシ、７はシャーシ６の下部に位置する回路基板、８は回路基板７を保持しシャーシ６の台座となるスペーサー、９はフレキシブルＰ板３が挿入され回路基板７に半田付けされたコネクタで、コネクタは回路基板７の電気回路に電気的に接続され、フレキシブルＰ板３が挿入されることでフレキシブルＰ板３との間で電気的接続がなされる。
【０００５】
以上のように構成された従来の磁気記録再生装置について、以下にその動作について説明する。
【０００６】
磁気ヘッド（図示せず）を含む回転ドラム２が回転することによって、回路基板７→コネクタ９→フレキシブルＰ板３→回転トランスユニット（図示せず）→磁気ヘッド（図示せず）という経路で磁気テープ（図示せず）に映像・音声等の情報が記録される。また、記録済みの磁気テープ（図示せず）であれば、上述した逆の経路で記録情報を再生することができる。
【０００７】
さらに、ホルダ５に保持されたフレキシブルＰ板３がコネクタ９に挿入される場合、フレキシブルＰ板３にはＹ１方向の力が作用するが、フレキシブルＰ板３の鍔部３ａとホルダ５の係止用爪部５ａで位置規制を行う。また、修理等で、コネクタ９よりホルダ５に保持されたフレキシブルＰ板３を抜去する場合、フレキシブルＰ板３にはホルダ５に対し相対的にＹ２方向の力が作用するが、フレキシブルＰ板３の鍔部３ａとホルダ５の係止用爪部５ａで位置規制を行う。
【特許文献１】特許第３１４４４１３号公報（第５頁、図２）
【発明の開示】
【発明が解決しようとする課題】
【０００８】
しかしながら上記の従来の構成では、図１０に示すように、フレキシブルＰ板３の両側に鍔部３ａを設け、この鍔部３ａとホルダ５の係止用爪部５ａとでＹ１・Ｙ２方向の位置規制することから、鍔部３ａを形成するためにフレキシブルＰ板３の面積が大きくなり、定尺シートから取れるフレキシブルＰ板３の数量に限度があるという問題点を有していた。
【０００９】
本発明は上記従来の問題点を解決するもので、定尺シートから取れるフレキシブルＰ板の数量を増加させることで、フレキシブルＰ板のコストダウンを図り、かつフレキシブルＰ板を確実にコネクタに挿入できる接続装置およびそれを用いた磁気記録再生装置を提供することを目的とする。
【課題を解決するための手段】
【００１０】
この目的を達成するために本発明の磁気記録再生装置は、磁気テープを案内する固定ドラムと、前記固定ドラムに対し同軸的に回転し、少なくとも一対の磁気ヘッドを有する回転ドラムと、磁気テープへの記録信号、または磁気テープからの再生信号を伝達するフレキシブルＰ板で構成された回転ヘッドユニットと、前記固定ドラムに保持され前記フレキシブルＰ板を保持するホルダと、前記回転ヘッドユニットを保持するシャーシと、前記シャーシの下部に位置する回路基板と、前記固定ドラムの下部に位置し前記フレキシブルＰ板が挿入され前記回路基板に半田付けされたコネクタから成り、前記フレキシブルＰ板に任意形状の孔を設け、前記ホルダに前記フレキシブルＰ板の任意形状の孔に挿入される突起部を設け、前記フレキシブルＰ板の任意形状の孔と前記ホルダの突起部とで前記フレキシブルＰ板の位置規制を行うという構成を有している。
【００１１】
この構成によって定尺シートから取れるフレキシブルＰ板の数量を増加させることで、フレキシブルＰ板のコストダウンを図り、かつフレキシブルＰ板を確実にコネクタに挿入できる磁気記録再生装置が得られる。
【発明の効果】
【００１２】
以上のように本発明は、フレキシブルＰ板に任意形状の孔を設け、ホルダにフレキシブルＰ板の任意形状の孔に挿入される突起部を設け、フレキシブルＰ板の任意形状の孔とホルダの突起部とでフレキシブルＰ板の位置規制を行うことで、定尺シートから取れるフレキシブルＰ板の数量を増加させ、フレキシブルＰ板のコストダウンを図り、かつフレキシブルＰ板を確実にコネクタに挿入できるという優れた効果が得られる。
【００１３】
また、フレキシブルＰ板を小型化できるとともに、フレキシブルＰ板と保持手段とを保持する作業性を向上させることができるものである。
【発明を実施するための最良の形態】
【００１４】
本発明の請求項１〜６に記載の発明は、少なくとも電気回路を備えた接続部品と、少なくとも電気回路を備え前記接続部品とフレキシブルケーブルを介して電気的に接続される被接続部品とを電気的に接続する接続装置であって、前記接続部品の電気回路に電気的に接続され前記接続部品から露出して配したフレキシブルケーブルと、前記接続部品に保持され前記フレキシブルケーブルを保持する保持手段と、前記被接続部品に設けられ前記フレキシブルケーブルが接続されるコネクタと、前記保持手段に設けられた突起と、前記フレキシブルケーブルに設けられ少なくとも前記突起が挿入可能な孔部とを有し、前記フレキシブルケーブルを前記保持手段に保持させる際、前記孔部に前記突起を挿入し位置決めを行うものであり、これにより、定尺シートから取れるフレキシブルＰ板の数量を増加させることで、フレキシブルＰ板のコストダウンを図り、かつフレキシブルＰ板を確実にコネクタに挿入できる接続装置が得られる。
【００１５】
本発明の請求項７に記載の発明は、磁気テープを案内する固定ドラムと、前記固定ドラムに対し同軸的に回転し、少なくとも一対の磁気ヘッドを有する回転ドラムと、磁気テープへの記録信号、または磁気テープからの再生信号を伝達するフレキシブルＰ板で構成された回転ヘッドユニットと、前記固定ドラムに保持され前記フレキシブルＰ板を保持するホルダと、前記回転ヘッドユニットを保持するシャーシと、前記シャーシの下部に位置する回路基板と、前記固定ドラムの下部に位置し前記フレキシブルＰ板が挿入され前記回路基板に半田付けされたコネクタから成り、前記フレキシブルＰ板に任意形状の孔を設け、前記ホルダに前記フレキシブルＰ板の任意形状の孔に挿入される突起部を設け、前記フレキシブルＰ板の任意形状の孔と前記ホルダの突起部とで前記フレキシブルＰ板の位置規制を行うという構成としたものであり、定尺シートから取れるフレキシブルＰ板の数量を増加させることで、フレキシブルＰ板のコストダウンを図り、かつフレキシブルＰ板を確実にコネクタに挿入することができるという作用を有する。
【００１６】
本発明の請求項８に記載の発明は、磁気テープを案内する固定ドラムと、前記固定ドラムに対し同軸的に回転し、少なくとも一対の磁気ヘッドを有する回転ドラムと、磁気テープへの記録信号、または磁気テープからの再生信号を伝達するフレキシブルＰ板で構成された回転ヘッドユニットと、前記固定ドラムに保持され前記フレキシブルＰ板を保持するホルダと、前記回転ヘッドユニットを保持するシャーシと、前記シャーシの下部に位置する回路基板と、前記固定ドラムの下部に位置し前記フレキシブルＰ板が挿入され前記回路基板に半田付けされたコネクタから成り、前記フレキシブルＰ板に任意形状の切り欠きを設け、前記ホルダにフレキシブルＰ板の任意形状の切り欠きに挿入される突起部を設け、前記フレキシブルＰ板の任意形状の切り欠きと前記ホルダの突起部とで前記フレキシブルＰ板の位置規制を行うという構成としたものであり、定尺シートから取れるフレキシブルＰ板の数量を増加させることで、フレキシブルＰ板のコストダウンを図り、かつフレキシブルＰ板を確実にコネクタに挿入することができるという作用を有する。
【００１７】
以下、本発明の実施の形態について、図面を用いて説明する。
【００１８】
（実施の形態１）
図１は本発明の実施の形態１における磁気記録再生装置の後部側面図を、図２は図１におけるＹ３−Ｙ４断面図を示すものである。なお、図１において、構成を明確に示すためにシャーシの一部を切り欠いて描画した。図２は、本実施の形態における回転ヘッドユニットとホルダーとコネクタとの装着状態を説明するための要部斜視図である。図３は本実施の形態におけるフレキシブルＰ板とホルダーとを装着しコネクタに装着する前の状態を示す要部斜視図である。
【００１９】
図において、１１は磁気テープ（図示せず）を案内する固定ドラム、１２は固定ドラム１１に対し同軸的に回転し、少なくとも一対の磁気ヘッド（図示せず）を有する回転ドラム、１４は固定ドラム１１、回転ドラム１２、フレキシブルＰ板１３で構成される回転ヘッドユニットである。なお、本実施の形態ではビデオテープレコーダーを一例として説明しているため接続部品として回転ヘッドユニットを用いたが、他の機器においては他の部品であることはいうまでもなく、少なくとも電気回路を備えてあればよい。
【００２０】
１３は固定ドラム１１と回転ドラム１２間に設けられ、磁気テープへの記録信号、または磁気テープからの再生信号を伝達する回転トランスユニット（図示せず）から引き出されたフレキシブルケーブルであるフレキシブルＰ板で、内部に信号を伝達するための複数の導線が、長手方向に略平行に延設されている。また、導線が長手方向に延設されたフレキシブルＰ板１３の、短辺方向における導線が配された範囲（図示では略中央）に、後述するホルダ１５に設けた突起部１５ｂが挿入される略長方形の孔部１３ａが設けられている。なお、本実施の形態において孔部１３ａは略長方形としたが、他の形状であっても構わない。また、孔部１３ａの位置は図示ではフレキシブルＰ板１３の短辺方向の略中央に配したが、左右方向あるいは上下方向に変位した位置に配置しても構わない。フレキシブルＰ板１３の内部に配されている複数本の導線は、図２に示すように孔部１３ａを避けるように配されている。
【００２１】
１５は固定ドラム１１の下部に保持された保持手段であるホルダで、４ヶ所の係止用爪部１５ａはフレキシブルＰ板１３の保持及びＸ１・Ｘ２方向の位置規制を行う。さらにフレキシブルＰ板１３の略長方形の孔部１３ａに挿入される突起部１５ｂが設けられ、この略長方形の孔部１３ａと突起部１５ｂでフレキシブルＰ板１３のＹ１・Ｙ２方向の位置規制を行う。ホルダ１５の全体構成は図４に示した通りであり、一対の係止部１５ａは各々弾力性を有する係止用爪部１５ｂと位置決め部１５ｃから成る。係止用爪部１５ｂには、その先端には固定ドラム１１の内部に係合するよう突起１５ｄと、係合孔１１ａに案内されるようにテーパ１５ｆが設けられている。位置決め部１５ｃには、その先端に係合孔１１ａに案内されるようにテーパ１５ｇと、係合孔１１ａに係合する際に用意に弾性変形するよう薄肉部１５ｅが設けられている。またホルダ１５の下端には、コネクタ１９との接続の際に良好に案内されるように複数のテーパ１５ｉが設けられている。なお、ホルダー１５の全体構成を図３に示す。
【００２２】
１６は回転ヘッドユニット１４を保持するシャーシ、１７はシャーシ１６の下部に位置する回路基板、１８は回路基板１７を保持しシャーシ１６の台座となるスペーサー、１９はフレキシブルＰ板１３が挿入され回路基板１７に半田付けされたコネクタで、コネクタは回路基板１７の電気回路に電気的に接続され、フレキシブルＰ板１３が挿入されることでフレキシブルＰ板１３との間で電気的接続がなされる。なお、本実施の形態において、被接続部品はコネクタを一例とした。
【００２３】
以上のように構成された本実施の形態の磁気記録再生装置について、その動作を説明する。
【００２４】
まず、磁気ヘッド（図示せず）を含む回転ドラム１２が回転することによって、回路基板１７→コネクタ１９→フレキシブルＰ板１３→回転トランスユニット（図示せず）→磁気ヘッド（図示せず）という経路で磁気テープ（図示せず）に映像・音声等の情報が記録される。また、記録済みの磁気テープ（図示せず）であれば、上述した逆の経路で記録情報を再生することができることは従来例と同様である。
【００２５】
次に、本装置の組立方法について説明する。
【００２６】
まず、図２に示すように一端が回転ヘッドユニット１４内の回転トランスユニット（図示せず）に電気的に接続され、他端が固定ドラム１１の下面から引き出されているフレキシブルＰ板１３を備えた回転ヘッドユニット１４において、フレキシブルＰ板１３の他端を、矢印Ａに示すようにホルダ１５の所定の位置に保持させる。この時、フレキシブルＰ板１３に設けられた孔部１３ａと、ホルダー１５に設けられた突起部１５ｂとを係合させ、フレキシブルＰ板１３をホルダー１５に対して位置決めする。次に図２の矢印Ｂに示すようにホルダ１５の上面２カ所に設けられた係止部１５ａを、固定ドラム１１の下面に係合させることで、ホルダー１５を固定ドラム１１の下面に装着することができる。
【００２７】
次に、ホルダー１５が矢印Ｄに示すように、回路基盤１７に設けられたコネクタ１９に装着可能なように、ホルダー１５が装着された回転ヘッドユニット１４を移動させる。この時のホルダー１５とコネクタ１９との状態を図３に示している。図示のように上から下方向に向かってホルダー１５を移動させ、ホルダー１５とコネクタ１９とを係合させることにより、フレキシブルＰ板１３がコネクタ１９に設けられた端子部（図示せず）に電気的に接続することができる。その装着完了状態を図１及び図４に示す。
【００２８】
ホルダ１５に保持されたフレキシブルＰ板１３がコネクタ１９に挿入される場合、フレキシブルＰ板１３にはＹ１方向の力が作用するが、フレキシブルＰ板１３の略長方形の孔部１３ａとホルダ１５の突起部１５ｂで位置規制を行う。また、修理等で、コネクタ１９よりホルダ１５に保持されたフレキシブルＰ板１３を抜去する場合、フレキシブルＰ板１３はホルダ１５に対し相対的にＹ２方向の力が作用するがフレキシブルＰ板１３の略長方形の孔部１３ａとホルダ１５の突起部１５ｂで位置規制を行う。
【００２９】
このように、ホルダ１５に保持されたフレキシブルＰ板１３をコネクタ１９に挿抜する場合、フレキシブルＰ板１３にはＹ１又はＹ２方向の力が作用するが、フレキシブルＰ板１３の略長方形の孔部１３ａとホルダ１５の突起部１５ｂでＹ１・Ｙ２方向の位置規制を行うことができる。
【００３０】
以上のように本実施の形態によれば、フレキシブルＰ板１３に設けた略長方形の孔部１３ａと、ホルダ１５に設けた突起部１５ｂで、コネクタ１９に対するフレキシブルＰ板１３の挿抜時に、ホルダ１５はフレキシブルＰ板１３を確実に位置規制・保持することができる磁気記録再生装置を得ることができる。
【００３１】
（実施の形態２）
図５は本発明の実施の形態２における磁気記録再生装置の後部側面図を、図６は図５におけるＹ３−Ｙ４断面図を示すものである。なお、図５において、構成を明確に示すためにシャーシの一部を切り欠いて描画した。図において、前述の実施の形態１の同様の構成要素については同一番号を付与して詳しい説明を省略する。２０は固定ドラム１１と回転ドラム１２間に設けられ、磁気テープへの記録信号、または磁気テープからの再生信号を伝達する回転トランスユニット（図示せず）から引き出されたフレキシブルＰ板で、後述するホルダ２２に設けた突起部２２ｂが挿入される切り欠き部２０ａが設けられている。２１は固定ドラム１１、回転ドラム１２、フレキシブルＰ板２０で構成される回転ヘッドユニット、２２は固定ドラム１１の下部に保持されたホルダで、４ヶ所の係止用爪部２２ａはフレキシブルＰ板２０の保持及びＸ１・Ｘ２方向の位置規制を行う。さらにフレキシブルＰ板２０の切り欠き部２０ａに挿入される突起部２２ｂが設けられ、この切り欠き部２０ａと突起部２２ｂでフレキシブルＰ板２０のＹ１・Ｙ２方向の位置規制を行う。
【００３２】
以上のように構成された本実施の形態について、以下その動作について説明する。
【００３３】
まず、磁気ヘッド（図示せず）を含む回転ドラム１２が回転することによって、回路基板１７→コネクタ１９→フレキシブルＰ板２０→回転トランスユニット（図示せず）→磁気ヘッド（図示せず）という経路で磁気テープ（図示せず）に映像・音声等の情報が記録される。また、記録済みの磁気テープ（図示せず）であれば、上述した逆の経路で記録情報を再生することができることは従来例と同様である。
【００３４】
さらに、ホルダ２２に保持されたフレキシブルＰ板２０がコネクタ１９に挿入される場合、フレキシブルＰ板２０にはＹ１方向の力が作用するが、フレキシブルＰ板２０の切り欠き部２０aとホルダ２２の突起部２２ｂで位置規制を行う。また、修理等で、コネクタ１９よりホルダ２２に保持されたフレキシブルＰ板２０を抜去する場合、フレキシブルＰ板２０にはホルダ２２に対し相対的にＹ２方向の力が作用するが、フレキシブルＰ板２０の切り欠き部２０ａとホルダ２２の突起部２２ｂで位置規制を行う。
【００３５】
このように、ホルダ２２に保持されたフレキシブルＰ板２０をコネクタ１９に挿抜する場合、フレキシブルＰ板２０にはＹ１又はＹ２方向の力が作用するが、フレキシブルＰ板２０の切り欠き部２０ａとホルダ２２の突起部２２ｂでＹ１・Ｙ２方向の位置規制を行うことができる。
【００３６】
以上のように本実施の形態によれば、フレキシブルＰ板２０に設けた切り欠き部２０ａと、ホルダ２２に設けた突起部２２ｂで、コネクタ１９に対するフレキシブルＰ板２０の挿抜時に、ホルダ２２はフレキシブルＰ板２０を確実に位置規制・保持することができる磁気記録再生装置を得ることができる。
【００３７】
（実施の形態３）
次に、本発明の実施の形態３について説明する。
【００３８】
図７は本実施の形態におけるホルダーの全体構成を示す斜視図、図８はフレキシブルＰ板を装着したホルダーをコネクタに装着する際の状態を示す斜視図、図９はフレキシブルＰ板をホルダーに装着する際の動作の流れを示す断面図である。図において、実施の形態１及び２の同様の構成要素については、その詳細な説明は省略する。１５ｃはホルダー１５に設けられた突起部で、図示のように、側面から見た時に略Ｌ字状の形状を有している。１５ｄは突起部１５ｃの先端下部に設けられたテーパ部である。１５ｅは突起部１５ｃの先端部で、本実施の形態では上方向に突出した形状を成している。
【００３９】
以上のように構成された本実施の形態について、以下その動作について説明する。
【００４０】
まず、フレキシブルＰ板１３をホルダー１５に装着する場合の動作について説明する。図９（ａ）に示すようにフレキシブルＰ板１３とホルダー１５とが離間した状態から、フレキシブルＰ板１３を矢印Ｘ方向へ移動させ、図９（ｂ）に示すようにフレキシブルＰ板１３の孔部１３ａにホルダー１５の先端部１５ｅを挿入する。この状態からフレキシブルＰ板１３をさらに矢印Ｙ方向へ移動させると、図９（ｃ）の状態になる。この時、フレキシブルＰ板１３は先端部１５ｅを既に越えているため、テーパ部１５ｄに案内される形でやや下方向へ変位し、さらに矢印Ｚ方向へ移動させることで、最終的に図９（ｄ）に示す状態になる。なお、特に図示していないが図９（ｄ）に示す状態では、フレキシブルＰ板１３はホルダー１５に保持された状態となる。
【００４１】
ここで、仮にテーパ部１５ｄが無く突起部１５ｃの外形が直角形状だったとすると、孔部１３ａの縦方向寸法Ｈ１は、最低でも突起部１５ｃの上端から下端までの最大寸法Ｌ１よりも大きな寸法が必要となる。すると、高密度配線が要求されるフレキシブルＰ板において、孔部１３ａの大きさが大きくなると、フレキシブルＰ板１３自体の大きさも大きくなってしまう。また、フレキシブルＰ板１３をホルダー１５に装着する際の作業性も良くないという問題がある。
【００４２】
これに対し本実施の形態は、図９（ｂ）に示すように、孔部１３ａの縦方向寸法をＨ１、突起部１５ｂの縦方向最大寸法をＬ１、テーパ部１５ｄを除いた先端部１５ｅの縦方向寸法をＬ２、胴部１５ｆの縦方向寸法をＬ３とした時、Ｌ１とＬ２とＬ３の関係を、
Ｌ２＜Ｌ３＜Ｌ１
とし、Ｈ１の寸法を、
Ｌ３＜Ｈ１＜Ｌ１
の条件を満たすように設定する。このようにすることで、孔部１３ａの縦方向寸法Ｈ１を極力小さくしつつ、図９（ａ）〜（ｄ）に示すように孔部１３ａに突起部を良好に挿入することができるので、フレキシブルＰ板１３を極力小さくすることができるとともに、装着作業性を向上させることができる。
【００４３】
なお、本実施の形態では、突起部１５ｃの先端部１５ｅが上方向に突出する構成としたが、下方向や左右方向であっても構わない。また、本実施の形態では、図９（ａ）〜（ｄ）に示すようにフレキシブルＰ板１３を傾けずに直立させた状態で装着させる動作にしてあるが、フレキシブルＰ板１３を図示右方向（時計回り）に僅かに傾けて挿入装着動作をすることで、作業性が向上する。
【産業上の利用可能性】
【００４４】
本発明にかかる磁気記録再生装置は、ビデオテープレコーダー等のＡＶ機器として有用であり、特に安価な手段でフレキシブルケーブルをコネクタに挿入することに適している。さらに、ＡＶ機器以外に、コネクタにフレキシブルＰ板を装着するような電気機器に用いると有効である。
【図面の簡単な説明】
【００４５】
【図１】本発明の実施の形態１における磁気記録再生装置の後部側面図
【図２】同実施の形態における回転ヘッドユニットとホルダーとコネクタとを装着する動作を示す分解斜視図
【図３】同実施の形態におけるホルダーの外観を示す斜視図
【図４】同実施の形態における図１のＹ３−Ｙ４断面図
【図５】本発明の実施の形態２における磁気記録再生装置の後部側面図
【図６】同実施の形態における図３のＹ３−Ｙ４断面図
【図７】本発明の実施の形態３におけるホルダーの外観を示す斜視図
【図８】同実施の形態におけるホルダーとコネクタとを装着する動作を示す分解斜視図
【図９】同実施の形態におけるフレキシブルＰ板とホルダーとを装着する動作過程を示す断面図
【図１０】従来の磁気記録再生装置の後部側面図
【図１１】従来の磁気記録再生装置において図１０のＹ３−Ｙ４断面図
【符号の説明】
【００４６】
１１    固定ドラム
１２    回転ドラム
１３    フレキシブルＰ板
１３ａ    略長方形の孔
１４    回転ヘッドユニット
１５    ホルダ
１５ａ    係止用爪部
１５ｂ    突起部
１６    シャーシ
１７    回路基板
１８    スペーサー
１９    コネクタ
２０    フレキシブルＰ板
２０ａ    切り欠き部
２１    回転ヘッドユニット
２２    ホルダ
２２ａ    係止用爪部
２２ｂ    突起部
【図１】
2005108495.tif 000003
【図２】
2005108495.tif 000004
【図３】
2005108495.tif 000005
【図４】
2005108495.tif 000006
【図５】
2005108495.tif 000007
【図６】
2005108495.tif 000008
【図７】
2005108495.tif 000009
【図８】
2005108495.tif 000010
【図９】
2005108495.tif 000011
【図１０】
2005108495.tif 000012
【図１１】
2005108495.tif 000013